(57)【特許請求の範囲】
【請求項１】
ラップケース等の小物を入れるための小物入れと、この小物入れの下部に設けられ、ペーパータオル等のロール体を保持するロール保持具とを備えた物品保持具であって、
前記ロール保持具が、前記小物入れの底面積と略同等の上面面積を有する略平板状の基部と、この基部の奥行き幅と略同じ奥行き幅を有し、当該基部の前後縁に形成された第１ガイド部と係合しかつこの第１ガイド部に案内されて左右方向にスライド可能に当該基部に取り付けられた左右一対のスライド板と、このスライド板にそれぞれ一体に形成された側板と、この側板にそれぞれ回動可能に取り付けられ、前記ロール体の左右を回転可能に支持する左右一対の支持アームと、この支持アームで支持されたロール体の回転を、ロール体の引き出し方向に基づく支持アームの回動状態に応じて停止させるストッパとを備え、
かつ、前記ロール保持具の基部が、前記小物入れの底部に形成された第２ガイド部と係合しかつこの第２ガイド部に案内されて前後方向にスライドすることで当該小物入れに対して着脱可能に取り付けられていることを特徴とする物品保持具。
【請求項２】
前記小物入れは、上方と前方とが開放された受け部を有する本体と、この本体の前記受け部に対し、その前方側に回動可能に支持され、前記受け部とともに物入れ部を形成する回動部材とを備え、
この回動部材が、前板とこの前板と一体に形成された底板とを有し、かつ前記受け部はその底部が部分的に開口しており、その開口縁部によって、前記第２ガイド部が形成されていることを特徴とする請求項１記載の物品保持具。
【請求項３】
前記側板同士を連結する伸縮可能なロッドであってその最小長さが前記側板同士の最小間隔に略等しい長さとなっている補強ロッドをさらに備えていることを特徴とする請求項１または２記載の物品保持具。
【発明の詳細な説明】
【０００１】
【発明の属する技術分野】
本発明は、物品保持具に関するものである。主として、台所で使用される物品を保持する保持具であって、例えばラップケースやアルミホイルケース等を入れるのに適した小物入れと、この小物入れの下部に設けられ、ペーパータオル等のロール体を保持するロール保持具とを備えた物品保持具に関するものである。
【０００２】
【従来の技術】
従来、ラップケース等の小物を入れるための小物入れと、この小物入れの下部に設けられ、ペーパータオル等のロール体を保持するロール保持具とを備えた物品保持具としては、例えば、図１４に示すようなもの（特開平１０−２３９７９号公報）と、図１５に示すようなもの（実公平３−５４６８１号公報）とが知られている。
【０００３】
図１４に示すものは、ラップケース等の小物を入れるための小物入れ１と、この小物入れ１の下部に設けられ、ペーパータオル等のロール体Ｒを保持するロール保持具２とを備えている。
ロール保持具２は、正面視でＬ字型をなす左右一対の支持アーム３，３（一方のみ図示）を有しており、この支持アーム３の上部３ａを、前記小物入れの底部に形成された、係合ガイド部１ａ，１ａまたは１ｂ，１ｂ（一方の係合ガイド部１ａ，１ｂのみ図示）に着脱可能に取り付けることによって構成される。
支持アーム３の着脱は、その上部３ａを、前記係合ガイド部１ａまたは１ｂに対して前後方向（図（ｂ）において左右方向）にスライドさせることによって行われる。
図（ａ）に実線で示すように、支持アーム３を、内側の係合ガイド部１ａに取り付けることによって、比較的短いロール体Ｒを保持させることができ、仮想線で示すように、支持アーム３を、外側の係合ガイド部１ｂに取り付けることによって、比較的長いロール体を保持させることができる。
【０００４】
図１５に示すものは、ラップケース等の小物を入れるための小物入れ４と、この小物入れ４の下部に設けられ、ペーパータオル等のロール体を保持するロール保持具５とを備えている。
ロール保持具５は、小物入れ４の底面積よりも小さな上面面積を有し、小物入れ４の底部に形成されたガイド部４ａと係合しかつこのガイド部４ａに案内されて左右方向にスライド可能に小物入れ４に取り付けられた左右一対のスライド板６，６と、このスライド板６の端部に対してそれぞれヒンジ構造７で開閉可能に取り付けられた左右一対の支持アーム８とを備えている。
このロール保持具５は、図（ａ）（ｂ）に示すように支持アーム８，８を開いた状態で、スライド板６，６を左右にスライドさせてその位置を調整することによって、種々の長さのロール体を支持アーム８，８で保持することができる。
また、ロール保持具５は、その不使用時（例えば輸送時や販売時）には、図（ｃ）に示すように、支持アーム８，８を閉じることによって、コンパクトにすることができる。
【０００５】
【発明が解決しようとする課題】
上述した従来の物品保持具には次のような課題がある。
＜課題１＞
図１４に示した物品保持具は、長さの異なるロール体を保持する際に、ロール保持具２の支持アーム３，３を係合ガイド部１ａ，１ａまたは１ｂ，１ｂに対していちいち脱着する必要があり、その操作が面倒である。
また、係合ガイド部１ａ，１ｂに着脱される支持アーム３の上部３ａの奥行き幅（図１４（ｂ）における左右方向長さ）が小物入れ１の底部の奥行き幅に比べて小さくなっているので、支持アーム３，３の取付状態が必ずしも安定せず、したがって、ロール体Ｒの支持状態も不安定になりがちであるという問題がある。
図１５に示した物品保持具は、左右一対のスライド板６，６の奥行き幅が小物入れ４の底部の奥行き幅に比べて小さくなっているので、このスライド板６，６に取り付けられている支持アーム８，８の状態が必ずしも安定せず、しかも、支持アーム８，８は、スライド板６，６の端部に対してヒンジ構造７で開閉可能に取り付けられているので、その取付状態が不安定で、がたつき易い。
このため、ロール体の支持状態が不安定になるという問題がある。
さらに、図１４、図１５に示したいずれの物品保持具も、そのロール保持具を小物入れから取り外すことによって、小物入れ単体としても使用することが可能であるが、小物入れ単体として使用する場合と、ロール保持具を組み付けて使用する場合とで、その使用状態に応じていちいち左右一対の支持アーム３，３あるいはスライド板６，６を着脱する必要があり、その作業が面倒である。
この発明の第１の目的は、上記課題を解決し、長さの異なるロール体を保持する際の操作が簡単でかつロール体の支持状態が安定しており、しかも、小物入れ単体として使用する場合と、ロール保持具を組み付けて使用する場合とで、その使用状態に応じた変更作業も簡単な物品保持具を提供することにある。
＜課題２＞
図１５に示した物品保持具は、支持アーム８，８がスライド板６，６の端部に対してヒンジ構造７で開閉可能に取り付けられているので、ロール保持具５の不使用時（例えば輸送時や販売時）には、図（ｃ）に示したように支持アーム８，８を閉じることによってコンパクトにすることはできるが、前述したように、支持アーム８，８がスライド板６，６の端部に対してヒンジ構造７で開閉可能に取り付けられているが故に、その取付状態は不安定で、がたつき易いという難点を有している。
これに対し、図１４に示した物品保持具は、そのロール保持具にヒンジ構造を有していない分だけ、図１５のものに比べれば支持アームの取付状態は安定することとなる。
しかしながら、図１４のものを、同図に示したように支持アーム３，３を取り付けた状態で輸送あるいは販売しようとした場合、その過程において、図１４（ａ）に示すように、支持アーム３に対してその外側から何らかの外力Ｆが作用すると、支持アーム３、あるいは小物入れ１の係合ガイド部１ａまたは１ｂ部分が破損してしまうという問題がある。
この問題は、支持アーム３，３を小物入れ１から取り外した状態で輸送あるいは販売することによって解決することは可能ではあるが、そうすると、ユーザーが、使用時に、支持アーム３，３を小物入れ１に対していちいち装着しなければならなくなるという別の問題が生じる。
この発明の第２の目的は、上記課題２を解決し、支持アームの取付状態が安定し、かつ輸送過程あるいは販売過程等において支持アーム等が破損せず、しかも、ユーザーが使用時に、支持アーム等を取り付ける必要もない物品保持具を提供することにある。
【０００６】
【課題を解決するための手段】
上記第１の目的を達成するために請求項１記載の物品保持具は、ラップケース等の小物を入れるための小物入れと、この小物入れの下部に設けられ、ペーパータオル等のロール体を保持するロール保持具とを備えた物品保持具であって、
前記ロール保持具が、前記小物入れの底面積と略同等の上面面積を有する略平板状の基部と、この基部の奥行き幅と略同じ奥行き幅を有し、当該基部の前後縁に形成された第１ガイド部と係合しかつこの第１ガイド部に案内されて左右方向にスライド可能に当該基部に取り付けられた左右一対のスライド板と、このスライド板にそれぞれ一体に形成された側板と、この側板にそれぞれ回動可能に取り付けられ、前記ロール体の左右を回転可能に支持する左右一対の支持アームと、この支持アームで支持されたロール体の回転を、ロール体の引き出し方向に基づく支持アームの回動状態に応じて停止させるストッパとを備え、
かつ、前記ロール保持具の基部が、前記小物入れの底部に形成された第２ガイド部と係合しかつこの第２ガイド部に案内されて前後方向にスライドすることで当該小物入れに対して着脱可能に取り付けられていることを特徴とする。
請求項２記載の物品保持具は、請求項１記載の物品保持具において、前記小物入れは、上方と前方とが開放された受け部を有する本体と、この本体の前記受け部に対し、その前方側に回動可能に支持され、前記受け部とともに物入れ部を形成する回動部材とを備え、
この回動部材が、前板とこの前板と一体に形成された底板とを有し、かつ前記受け部はその底部が部分的に開口しており、その開口縁部によって、前記第２ガイド部が形成されていることを特徴とする。
上記第１，第２の目的を同時に達成するために請求項３記載の物品保持具は、請求項１または２記載の物品保持具において、前記側板同士を連結する伸縮可能なロッドであってその最小長さが前記側板同士の最小間隔に略等しい長さとなっている補強ロッドをさらに備えていることを特徴とする。
【０００７】
【作用効果】
請求項１記載の物品保持具は、ラップケース等の小物を入れるための小物入れと、この小物入れの下部に設けられ、ペーパータオル等のロール体を保持するロール保持具とを備え、
前記ロール保持具が、前記小物入れの底面積と略同等の上面面積を有する略平板状の基部と、この基部の奥行き幅と略同じ奥行き幅を有し、当該基部の前後縁に形成された第１ガイド部と係合しかつこの第１ガイド部に案内されて左右方向にスライド可能に当該基部に取り付けられた左右一対のスライド板と、このスライド板にそれぞれ一体に形成された側板と、この側板にそれぞれ回動可能に取り付けられ、前記ロール体の左右を回転可能に支持する左右一対の支持アームと、この支持アームで支持されたロール体の回転を、ロール体の引き出し方向に基づく支持アームの回動状態に応じて停止させるストッパとを備え、
かつ、前記ロール保持具の基部が、前記小物入れの底部に形成された第２ガイド部と係合しかつこの第２ガイド部に案内されて前後方向にスライドすることで当該小物入れに対して着脱可能に取り付けられているので、以下に詳しく説明するように、この物品保持具によれば、長さの異なるロール体を保持する際の操作が簡単でかつロール体の支持状態が安定し、しかも、小物入れ単体として使用する場合と、ロール保持具を組み付けて使用する場合とで、その使用状態に応じた変更作業も簡単になる。
すなわち、小物入れに対して着脱可能なロール保持具の基部が、小物入れの底面積と略同等の上面面積を有していて、小物入れの底部に形成された第２ガイド部と係合しかつこの第２ガイド部に案内されてスライドすることで当該小物入れに対して装着されるので、基部の小物入れに対する装着状態が安定する。また、この基部に対してスライド可能に取り付けられたスライド板は、基部の奥行き幅と略同じ奥行き幅を有していて、基部の前後縁に形成された第１ガイド部と係合しこの第１ガイド部に案内されて左右方向にスライド可能となっているので、スライド板の基部に対する取付状態およびスライド動作も安定する。したがって、長さの異なるロール体を保持する際の操作が簡単であるとともに、支持アームを回転可能に支持する側板がスライド板に対して一体的に形成されているので、支持アームの取付状態も安定し、結果として、ロール体の支持状態も安定することとなる。
そして、ロール保持具は、その基部を、小物入れの底部に形成された第２ガイド部に対してスライドさせることによって、小物入れに対して着脱することができるので、従来のように一対の支持アーム等を着脱する場合に比べて、小物入れ単体として使用する場合と、ロール保持具を組み付けて使用する場合とで、その使用状態に応じた変更作業が簡単になる。
以上のように、この請求項１記載の物品保持具によれば、長さの異なるロール体を保持する際の操作が簡単でかつロール体の支持状態が安定し、しかも、小物入れ単体として使用する場合と、ロール保持具を組み付けて使用する場合とで、その使用状態に応じた変更作業も簡単になるという効果が得られる。
さらに、基部のスライド方向が前後方向、基部に対するスライド板のスライド方向が左右方向であり、両者のスライド方向が異なっているので、スライド板をスライドさせる際に、基部が一緒にスライドしてしまうことがない。したがって、スライド板を確実かつ円滑にスライドさせることができる。
さらにまた、ロール保持具は、支持アームで支持されたロール体の回転を、ロール体の引き出し方向に基づく支持アームの回動状態に応じて停止させるストッパを備えているので、ペーパータオル等を片手で引き出してかつ切断することができる。この引き出しおよび切断動作は、前述したようにロールの支持状態が安定していることによって円滑に行うことができる。
請求項２記載の物品保持具によれば、請求項１記載の物品保持具において、前記小物入れは、上方と前方とが開放された受け部を有する本体と、この本体の前記受け部に対し、その前方側に回動可能に支持され、前記受け部とともに物入れ部を形成する回動部材とを備え、
この回動部材が、前板とこの前板と一体に形成された底板とを有し、かつ前記受け部はその底部が部分的に開口しており、その開口縁部によって、前記第２ガイド部が形成されているので、さらに次のような作用効果が得られる。
すなわち、小物入れは、上方と前方とが開放された受け部を有する本体と、この本体の前記受け部に対し、その前方側に回動可能に支持され、前記受け部とともに物入れ部を形成する回動部材とを備えているので、この小物入れによれば、ラップケース等の小物を物入れ部に対して出し入れする際に、回動部材が前方側に回動し、小物を容易に出し入れすることができることとなる。また、前記回動部材が、前板とこの前板と一体に形成された底板とを有し、背板を有していないので、ラップケース等の小物を物入れ部に入れる際に、小物の下端が回動部材の背板上縁部に当接するという事態が生じず、小物を物入れ部により一層入れ易くなるという効果が得られる。
そして、前記受け部の底部が部分的に開口しており、その開口縁部によって、前記第２ガイド部が形成されているので、従来技術のように特別のガイド（図１４の１ａ，１ｂ等）を形成する必要がなくなるとともに、その分物品保持具の高さを低減させることが可能となる。
別言すれば、上記回動部材が底板を有しているので、受け部の底部を部分的に開口させて上記第２ガイド部を形成することが可能となる。
請求項３記載の物品保持具は、基部と、この基部に対して、左右方向にスライド可能に取り付けられた左右一対のスライド板と、このスライド板にそれぞれ一体に形成された側板と、この側板にそれぞれ回動可能に取り付けられ、ペーパータオル等のロール体の左右を回転可能に支持する左右一対の支持アームと、この支持アームで支持されたロール体の回転を、ロール体の引き出し方向に基づく支持アームの回動状態に応じて停止させるストッパと、前記側板同士を連結する伸縮可能なロッドであってその最小長さが前記側板同士の最小間隔に略等しい長さとなっている補強ロッドとを備えているので、この物品保持具によれば、支持アームの取付状態が安定し、かつ輸送過程あるいは販売過程等において支持アーム等が破損せず、しかも、ユーザーが使用時に、支持アーム等を取り付ける必要もなくなる。
すなわち、支持アームを回転可能に支持する側板がスライド板に対して一体的に形成されているので、支持アームの取付状態も安定し、結果として、ロール体の支持状態も安定することとなる。
また、支持アームを回転可能に支持する側板同士を連結する伸縮可能なロッドであってその最小長さが側板同士の最小間隔に略等しい長さとなっている補強ロッドを備えているので、スライド板（側板）および支持アームを取り付けた状態で輸送あるいは販売する過程において、支持アームあるいは側板に対してその外側から何らかの外力が作用したとしても、その外力が前記補強ロッドで受けられることとなる。したがって、支持アーム等が破損してしまうということがなくなる。結果として、スライド板（側板）および支持アームを取り付けた状態で輸送あるいは販売することが可能となるので、ユーザーが、使用時に、支持アーム等をいちいち装着する必要もなくなる。
上記補強ロッドは、側板同士を連結しているが伸縮可能となっているので、スライド板のスライド動作を阻害しない。
以上のように、この請求項３記載の物品保持具によれば、支持アームの取付状態が安定し、かつ輸送過程あるいは販売過程等において支持アーム等が破損せず、しかも、ユーザーが使用時に、支持アーム等を取り付ける必要もなくなる。
さらに、支持アームで支持されたロール体の回転を、ロール体の引き出し方向に基づく支持アームの回動状態に応じて停止させるストッパを備えているので、ペーパータオル等を片手で引き出してかつ切断することができる。この引き出しおよび切断動作は、ロールの支持状態が安定していることによって円滑に行うことができる。
【０００８】
【発明の実施の形態】
以下、本発明の実施の形態について図面を参照して説明する。
図１は本発明に係る物品保持具の一実施の形態を示す図で、（ａ）は平面図、（ｂ）は正面図である。図２は左側面図、図３は背面図である。
これらの図に示すように、この物品保持具は、ラップケース等の小物５０（図２参照）を入れるための小物入れ１０と、この小物入れ１０の下部に設けられ、ペーパータオル等のロール体Ｒを保持するロール保持具６０とを備えている。
先ず小物入れ１０について説明し、次いでロール保持具６０について説明する。
【０００９】
図４は小物入れ１０を示す図で、（ａ）は平面図、（ｂ）は正面図である。図５（ａ）は右側面図、（ｂ）は図４（ｂ）におけるＶｂ−Ｖｂ断面図である。また、図６は本体を示す図で、（ａ）は正面図、（ｂ）は図（ａ）におけるｂ−ｂ断面図である。図７は本体の平面図である。図８は回動部材を示す図で、（ａ）は部分切断平面図、（ｂ）は正面図、（ｃ）は右側面図、（ｄ）は図（ｂ）におけるｄ−ｄ断面図である。
【００１０】
主として図４，図５に示すように、この実施の形態の小物入れ１０は、上方Ｕ（図５参照）と前方Ｆとが開放された受け部２１（図６，図７参照）を有する本体２０と、この本体２０の受け部２１に対し、その前方Ｆ側に回動可能に支持され（図５仮想線参照）、受け部２１とともに物入れ部１１を形成する回動部材３０とを備えている。
【００１１】
本体２０は合成樹脂による一体成型品であり、図６，図７に示すように、背板２２と、側板２３，２３と、仕切板２４，２４とを有しており、これらによって、上記受け部２１が３つ形成されている。側板２３，２３および仕切板２４，２４の前側下部は、連結部２５で連結されているとともに、中央の受け部２１（仕切板２４同士の間）には底板２６が設けられている。また、両側の受け部２１，２１には、その下縁に沿ってのみＵ字型に底板２７が設けられている。これら連結部２５および底板２６、２７によって本体の強度が強くなっている。
側板２３および仕切板２４は、その前部側の厚さｔ１に比べて背部側の厚さｔ２の方が大きくなっており、これによって、受け部２１は、平面視で奥側に向かって多少幅狭に形成されている。
【００１２】
回動部材３０は合成樹脂による一体成型品であり、図８に示すように、前板３１と底板３２とを有しているが、背板は有していない。
前板３１と底板３２は、その左右両端部分が薄い略三日月形（内縁部３３ａが湾曲している略Ｌ字型）の側板３３によって連結され、これによって回動部材３０の強度が強くなっている。
回動部材３０の幅は、上記受け部２１の形状と適合するように、前部側の幅Ｗ１が背部側の幅Ｗ２に比べて多少大きくなっている。
前板３１と底板３２とは、その左右方向両端部分においてのみ側板３３で連結されており、中間部分（側板３３同士の間）は開口３４となっている。側板３３の角部３３ａは円弧状に形成されており、この円弧部３３ａが本体２０の連結部２５の略断面円弧状の上面２５ａ（図５（ｂ）参照）によって支持されている。したがって、回動部材３０は、その左右方向両端部分においてのみ本体２０によって回動可能に支持されていることとなる。
【００１３】
前板３１の幅Ｗ３（図８（ａ）参照）は、その両端部３１ａが側板３３の外側面３３ｂよりも多少突出するように形成されており、この突出部３１ａが、図５（ａ）および図４に示すように本体２０の側板２３ないし仕切板２４の前面２３ａないし２４ａ（図６参照）に当接することによって、回動部材３０の本体２０側（図５（ｂ）における時計方向）への回動が規制されている。
一方、図４（ａ）、図５（ｂ）、図６、および図７に示すように、本体２０の側板２３の内側面および仕切板２４の両側面の背部側下方には、ストッパ２８が一体的に形成されており、回動部材３０が図５（ｂ）に仮想線で示すように前方Ｆ側（図５（ｂ）において反時計方向）へ回動した際、回動部材３０の側板３３の後端上部３３ｃ（図８参照）が前記ストッパ２８に下方から当接することによって、回動部材３０の、前方Ｆ側への回動位置が規制されるようになっている。
したがって、回動部材３０は、図５（ｂ）に仮想線で示すように前方Ｆ側へ、また実線で示すように本体２０側へ回動可能である。
そして、回動部材３０は、これが図５（ｂ）に実線で示すように本体２０側に向かって回動した際、その底板３２の上面３２ａが、水平線Ｈよりも、本体側（背部側であり図５（ｂ）において右方）に向かって下り傾斜状となるように形成されている。その傾斜角αは後述する作用が得られるようにすべく適宜設定することが可能である。
また、回動部材３０が図５（ｂ）に仮想線で示すように前方Ｆ側へ回動した際の回動部材３０の重心Ｇは、その回動中心（連結部２５の円弧状上面２５ａの中心部）よりも多少前方Ｆ側に位置している。したがって、図５（ｂ）に仮想線で示すように前方Ｆ側へ回動させられた回動部材３０は、これに外力が作用しない限り、その位置（図５（ｂ）に仮想線で示す位置）に保持される。
【００１４】
図６（ａ）に示すように、ストッパ２８の上面２８ａは、受け部２１（物入れ部１１）の内側に向かって下り傾斜状となっている。
【００１５】
本体２０の背面には、背板２２に設けた取付穴（だるま穴）２２ａを用いて磁石４０を着脱可能に取り付けることができ、したがって、この小物入れ１０は、磁石４０によって冷蔵庫等の壁面Ｗ（図５（ｂ）参照）に取り付けて使用することも可能である。
【００１６】
以上のような小物入れ１０によれば次のような作用効果が得られる。
この小物入れ１０は、上方Ｕと前方Ｆとが開放された受け部２１を有する本体２０と、この本体２０の前記受け部２１に対し、その前方Ｆ側に回動可能に支持され、前記受け部２１とともに物入れ部１１を形成する回動部材３０とを備えているので、この小物入れ１０によれば、図９（ａ）（ｂ）に示すように、ラップケース等の小物５０を物入れ部１１に対して出し入れする際に、回動部材３０が前方Ｆ側に回動し（図（ａ）の仮想線参照）、小物５０を容易に出し入れすることができる。
また、図９（ａ）に矢印Ｂで示すように小物５０を取り出した際に、回動部材３０が仮想線で示すように回動すると、これがそのままの位置に維持されるので、その後、矢印Ａで示すように再び小物５０を入れる際には、一層容易に入れることができる。
そして、さらに、次のような作用効果が得られる。
（ａ）回動部材３０が、前板３１とこの前板３１と一体に形成された底板３２とを有してはいるが、背板を有していないので、ラップケース等の小物５０を物入れ部１１に入れる際に、小物５０の下端５１（図９（ａ）参照）が回動部材３０の背板上縁部に当接するという事態が生じなくなる。
したがって、小物５０を物入れ部１１により一層入れ易くなるという効果が得られる。
しかも、図９（ａ）に示すように、小物５０の下端角部５２を本体２０の背板２２の内面２２ｂに沿わせるようにしてこの内面２２ｂをガイドとして入れることも可能になるので、小物５０をより一層容易に入れることが可能となる。
（ｂ）図９（ｂ）に示すように、回動部材３０が本体２０側に向かって回動した際、回動部材３０の底板３２の上面３２ａが、水平線Ｈよりも、本体２０側に向かって下り傾斜状となるので、物入れ部１１に入れられた小物５０が、略確実に本体２０の背板２２側に向かってこれにもたれかかるように倒れることとなる。
したがって、物入れ部１１に入れられたラップケース等の小物５０の状態が安定するという効果が得られる。
（ｃ）回動部材３０の、前方Ｆ側への回動位置を規制するストッパ２８が、本体２０側に設けられているので、図９（ｂ）に示すように回動部材３０が本体２０側に向かって回動した際に、ストッパを逃がすためのスペースを設ける必要がなくなる。
したがって、本体２０の背部にデッドスペースが生じるということもなくなるという効果が得られる。
（ｄ）図６（ａ）に示したように、ストッパ２８の上面２８ａが、受け部１１の内側に向かって下り傾斜状となっているので、ストッパ２８が本体２０側に設けられているにもかかわらず、図９（ａ）矢印Ａで示すようにラップケース等の小物５０を物入れ部１１に入れる際にストッパ２８が邪魔になるということがなくなる。
すなわち、図９（ａ）矢印Ａで示すようにラップケース等の小物５０を物入れ部１１に入れる際に、仮に小物５０の下端５１がストッパ２８に当接したとしても、小物５０の下端５１はストッパ２８の上面２８ａ上を滑るようにして上面２８ａに案内されてストッパ２８を容易に乗り越えることとなるので、ストッパ２８が邪魔になるということがない。
（ｅ）回動部材３０は、その左右方向両端部分３３ａにおいてのみ本体２０によって回動可能に支持されているので、その支持部における摩擦抵抗が低減し、回動部材３０の円滑な回動動作が得られることとなる。
したがって、小物５０の出し入れがより一層容易になるという効果が得られる。
【００１７】
次に、ロール保持具６０について説明する。
図１０はロール保持具６０の正面図である。
【００１８】
図１０および図１，図２に示すように、このロール保持具６０は、基部７０と、この基部７０に対して左右方向にスライド可能に取り付けられた左右一対のスライド板８０，８０（図１２参照）と、このスライド板８０に一体に形成された側板８１と、この側板８１に回動可能に取り付けられた左右一対の支持アーム９０と、補強ロッド１００とを備えている。
【００１９】
図１１は基部７０を示す図で、（ａ）は平面図、（ｂ）は正面図、（ｃ）は右側面図、（ｄ）は底面図、（ｅ）は図（ａ）におけるｅ−ｅ断面図である。
基部７０は、その上面７１が、前記小物入れ１０の底面１０ａ（図１〜図３参照）の面積（後述する開口２９の面積も含む）と略同等の面積を有する略平板状となっている。
基部７０の上面７１には、２組のフック群７２，７２が形成されている。フック群７２は、一対の前フック７２ａ、７２ａと一対の後フック７２ｂ、７２ｂとで構成されている。
図（ｃ）に明示されるように、基部７０の下面７３には、その前後縁に断面Ｌ字型のレール７４が形成されており、このレール７４と下面７３とで、基部７０の前後縁に第１ガイド部をなすガイド溝７５が形成されている。
なお、７８は、ロール体Ｒを上方から覆う図示しないカバーの上部両端を掛けるためのカバー掛け部である。
【００２０】
図１２はスライド板８０および側板８１と、側板８１に回動可能に取り付けられた支持アーム９０との組み立て体を示す図で、（ａ）は平面図、（ｂ）は正面図、（ｃ）は右側面図である。同図のものは、図１０における左方のものを示しているが、右方のものはこれと対称に構成される。
【００２１】
スライド板８０は、前記基部７０の奥行き幅Ｄ（図１１（ｃ）参照）と略同じ奥行き幅Ｄ’を有しており、その前後縁部８２，８２が、基部７０の前後縁に形成された前記第１ガイド部７５，７５に係合するように挿入されかつ第１ガイド部７５に案内されて左右方向にスライド可能に基部７０に取り付けられている（図１０参照）。取り付けられた状態では、基部７０の下面７３とスライド板８０の上面８３とがスライド可能に接触する。
スライド板８０の下面には、前記縁部８２，８２に沿って補強レール８４，８４が形成されている。この補強レール８４はスライド板８０の強度を増大させるためのものであるが、前記第１ガイド部をなすレール７４の内側面と摺接させて、ガイドレールとしての役割をもたせることもできる。
スライド板８０の内端には、可撓性を有するフック８５が形成されているとともに、図１１（ｄ）に示すように前記基部７０の下面７３には、上記フック８５のスライド方向に沿う矩形溝７６が形成されている。したがって、スライド板８０を基部７０に装着すると、スライド板８０のフック８５が基部７０の矩形溝７６に対してスライド可能に入り込み、スライド板８０を外方にスライドさせた際にフック８５が矩形溝７６の外端部７６ａと係合することによって、スライド板８０の基部７０からの抜けが防止される。なお、スライド板８０の内方へのスライド範囲は、スライド板８０と側板８１との連結部８６を肉厚に形成し、かつ補強リブ８６ａを形成した、その補強リブ８６ａが基部７０の外側面７０ａ（図１１参照）と当接することによって規制される（図１０参照）。
図１２（ａ）に示すようにスライド板８０には、そのスライド方向に沿って複数個（図示のものは３個）の穴８７・・・が形成されているとともに、図１１（ａ）（ｃ）（ｄ）に示すように基部７０には舌片７７が形成され、この舌片７７の先端下部に上記穴８７・・・と係脱する突起７７ａが形成されている。したがって、スライド板８０を左右方向にスライドさせた際、上記突起７７ａと穴８７とが係合することによって、スライド板８０はクリック感をもって一時停止することとなる。この停止位置は、市販されているペーパータオル等のロール体Ｒの複数種の標準的な長さに対応した位置となっている。したがって、ユーザーは、使用するロール体Ｒが標準的な長さのものである場合には、上記クリック感を目安にしてスライド板８０のスライド調整すなわち支持アーム９０，９０の間隔調整を行うことができるが、使用するロール体Ｒが標準的な長さのものでない場合でも、スライド板８０はそのスライド範囲内における任意の位置で停止させることができ、スライド板８０は基部７０に対してスライド可能ではあるがそのガイド部ないし摺接面がある程度密着した状態で装着されていて、ある程度の停止力をもって停止するので、任意の長さのロール体に対応させて支持アーム９０，９０の間隔調整を行うことができる。
【００２２】
図１２に示すように、側板８１は、スライド板８０の外端において一体的に垂下形成されている。
側板８１には、その内面に軸受け部８１ａが形成されており、この軸受け部８１ａに対して、支持アーム９０の内側に一体形成された割ピン状の軸９１が、外方から挿通されて回転可能に取り付けられている。したがって、支持アーム９０は、側板８１に対し軸９１を中心として回転可能である。
支持アーム９０の先端内側には、割ピン状の軸９２（図（ｃ）参照）が一体的に形成されており、この軸９２に、ローラ９３が回転可能に取り付けられている。図１（ｂ）に示すように、このローラ９３，９３によってロール体Ｒの両端が回転可能に支持される。ローラ９３の外周面にはローレット９３ａが形成されている。
【００２３】
側板８１の下端前面には、水平方向に伸びる突起８８が一体的に形成されている。この突起８８は、図２に示すように、ロール体Ｒから例えばそのキッチンペーパＰを略水平方向Ｈに引き出す際にはロール体Ｒの回転を許し、略下方Ｖに引き出そうとすると、ロール体Ｒの外周Ｒ１に食い込んでロール体Ｒの回転を阻止する。すなわち、ロール体Ｒからそのキッチンペーパ等を略水平方向Ｈに引き出す際には支持アーム９０が矢印ａ方向（突起８８から遠ざかる方向）へ揺動するため突起８８がロール体Ｒの外周Ｒ１に食い込まずロール体Ｒの回転が許容されるが、略下方Ｖに引き出そうとすると、支持アーム９０が矢印ｂ方向（突起８８へ向かう方向）へ揺動するために、突起８８がロール体Ｒの外周Ｒ１に食い込んでロール体Ｒの回転が阻止されることとなる。
したがって、ユーザーは、キッチンペーパ等を先ず略水平方向Ｈに引き出し、次いで、略下方Ｖに引くことによって、そのミシン目からペーパーを切断することができる。すなわち、片手で、ペーパーの引き出しおよび切断を行うことができる。
このように、突起８８は、支持アーム９０で支持されたロール体Ｒの回転を、ロール体Ｒの引き出し方向に基づく支持アーム９０の回動状態に応じて停止させるストッパを構成している。
【００２４】
補強ロッド１００は、図１０および図１２に示すように、側板８１の下端内面に一体的に形成された筒状部１１０，１１０と、これら筒状部１１０，１１０を連結する連結棒１２０とで構成されている。
図１３に示すように、連結棒１２０は、大径部１２１とその両端に形成されたフランジ部１２２，１２２と、さらにその外側に形成された小径部１２３，１２３とを有しており、小径部１２３，１２３が上記筒状部１１０，１１０に挿通されている。
したがって、この補強ロッド１００は、全体としてみれば、側板８１，８１同士を連結する伸縮可能なロッドとなっている。
また、図１０に示すように、この補強ロッド１００は、筒状部１１０，１１０の先端１１１，１１１が連結棒１２０のフランジ部１２２に当接する状態のときに最小長さとなり、その長さは、図１０からも明らかなように、側板８１，８１同士の最小間隔に等しい長さとなっている。
したがって、図１０に示す状態でロール保持具６０（あるいはロール保持具６０を有する物品保持具（図１参照））を輸送あるいは販売する過程において、支持アーム９０ないし側板８１に対してその外側から何らかの外力Ｆが作用したとしても、その外力Ｆは補強ロッド１００で受けられることとなるので、支持アーム９０や側板８１、あるいは側板８１とスライド板８０の連結部８６等が破損してしまうということがなくなる。
【００２５】
以上のようなロール保持具６０は、一括して前記小物入れ１０に対し着脱可能に構成されている。
すなわち、基部７０には、図１１を参照して説明したように、一対の前フック７２ａ、７２ａと一対の後フック７２ｂ、７２ｂとで構成された２組のフック群７２，７２が形成されているとともに、図７に示すように小物入れ１０の受け部２１はその底部が部分的に開口２９しており、その開口２９の両側縁部２７ａ、２７ａ（図３，図６参照）が、上記基部７０のフック７２ａ、７２ａ、７２ｂ、７２ｂと係合し、かつ前後方向に案内する第２ガイド部を形成している。
したがって、ロール保持具６０は、そのフック７２ａ、７２ｂを小物入れ１０のガイド部２７ａに係合させるようにして前後方向にスライドさせることによって、小物入れ１０に対して着脱可能である。
なお、図７に示すように開口２９の両側縁部２７ａ、２７ａは前方に向かうにしたがい両者間の間隔が狭くなるテーパ状に形成されており、このテーパ形状に対応させて、図１１（ａ）に示すように、一対の前フック７２ａ、７２ａ同士の間隔よりも一対の後フック７２ｂ、７２ｂ同士の間隔の方が大きくなるように構成してあるので、ユーザーがロール保持具６０の前後を間違えて装着してしまうということがない。
また、ロール保持具６０の側板８１の背部下端には、支持突起８９（図１（ａ）、図２，図３，および図１２参照）が形成されており、この支持突起８９が図２に示すように冷蔵庫等の壁面Ｗに当接することで、磁石４０の吸着面４１と壁面Ｗとが平行になって密着するようになっているので、小物入れ１０およびロール保持具６０すなわちこの実施の形態の物品保持具は冷蔵庫等の壁面Ｗに強固に取り付けることができる。
【００２６】
以上のような物品保持具によれば次のような作用効果が得られる。
（ｉ）ラップケース等の小物を入れるための小物入れ１０と、この小物入れ１０の下部に設けられ、ペーパータオル等のロール体Ｒを保持するロール保持具６０とを備え、
ロール保持具６０が、小物入れ１０の底面積と略同等の上面面積を有する略平板状の基部７０と、この基部７０の奥行き幅Ｄと略同じ奥行き幅Ｄ’を有し、基部７０の前後縁に形成された第１ガイド部７５，７５と係合しかつこの第１ガイド部７５，７５に案内されて左右方向にスライド可能に基部７０に取り付けられた左右一対のスライド板８０，８０と、このスライド板８０，８０にそれぞれ一体に形成された側板８１，８１と、この側板８１，８１にそれぞれ回動可能に取り付けられ、ロール体Ｒの左右を回転可能に支持する左右一対の支持アーム９０，９０と、この支持アーム９０，９０で支持されたロール体Ｒの回転を、ロール体Ｒの引き出し方向に基づく支持アーム９０，９０の回動状態に応じて停止させるストッパ８８とを備え、
かつ、ロール保持具６０の基部７０が、小物入れ１０の底部に形成された第２ガイド部２７ａ、２７ａと係合しかつこの第２ガイド部７２ａ、７２ａに案内されて前後方向にスライドすることで小物入れ１０に対して着脱可能に取り付けられているので、この物品保持具によれば、長さの異なるロール体Ｒを保持する際の操作が簡単でかつロール体Ｒの支持状態が安定し、しかも、小物入れ１０単体として使用する場合と、ロール保持具６０を組み付けて使用する場合とで、その使用状態に応じた変更作業も簡単になる。
詳しく説明すると、小物入れ１０に対して着脱可能なロール保持具６０の基部７０が、小物入れ１０の底面積と略同等の上面面積を有していて、小物入れ１０の底部に形成された第２ガイド部２７ａ、２７ａと係合しかつこの第２ガイド部２７ａ、２７ａに案内されてスライドすることで小物入れ１０に対して装着されるので、基部７０の小物入れ１０に対する装着状態が安定する。また、この基部７０に対してスライド可能に取り付けられたスライド板８０は、基部７０の奥行き幅Ｄと略同じ奥行き幅Ｄ’を有していて、基部７０の前後縁に形成された第１ガイド部７５，７５と係合しこの第１ガイド部７５，７５に案内されて左右方向にスライド可能となっているので、スライド板８０の基部７０に対する取付状態およびスライド動作も安定する。したがって、長さの異なるロール体Ｒを保持する際のスライド操作が簡単であるとともに、支持アーム９０を回転可能に支持する側板８１がスライド板８０に対して一体的に形成されているので、支持アーム９０の取付状態も安定し、結果として、ロール体Ｒの支持状態も安定することとなる。
そして、ロール保持具６０は、その基部７０を、小物入れ１０の底部に形成された第２ガイド部２７ａ、２７ａに対してスライドさせることによって、小物入れ１０に対して一括して着脱することができるので、従来のように一対の支持アーム等を着脱する場合に比べて、小物入れ１０単体として使用する場合と、ロール保持具６０を組み付けて使用する場合とで、その使用状態に応じた変更作業が簡単になる。
以上のように、この実施の形態の物品保持具によれば、長さの異なるロール体Ｒを保持する際の操作が簡単でかつロール体Ｒの支持状態が安定し、しかも、小物入れ１０単体として使用する場合と、ロール保持具６０を組み付けて使用する場合とで、その使用状態に応じた変更作業も簡単になるという効果が得られる。
さらに、基部７０のスライド方向が前後方向、基部７０に対するスライド板８０のスライド方向が左右方向であり、両者のスライド方向が異なっているので、スライド板８０をスライドさせる際に、基部７０が一緒にスライドしてしまうことがない。したがって、スライド板８０を確実かつ円滑にスライドさせることができる。
さらにまた、ロール保持具６０は、支持アーム９０で支持されたロール体Ｒの回転を、ロール体Ｒの引き出し方向に基づく支持アーム９０の回動状態に応じて停止させるストッパ８８を備えているので、ペーパータオル等を片手で引き出してかつ切断することができる。この引き出しおよび切断動作は、前述したようにロールＲの支持状態が安定していることによって円滑に行うことができる。
（ｉｉ）小物入れ１０は、上方Ｕと前方Ｆとが開放された受け部２１を有する本体２０と、この本体２０の受け部２１に対し、その前方側に回動可能に支持され、受け部２１とともに物入れ部１１を形成する回動部材３０とを備え、
この回動部材３０が、前板３１とこの前板３１と一体に形成された底板３２とを有し、かつ受け部２１はその底部が部分的に開口２９しており、その開口縁部によって、第２ガイド部２７ａ、２７ａが形成されているので、さらに次のような作用効果が得られる。
すなわち、前述したように、小物入れ１０は、上方と前方とが開放された受け部２１を有する本体２０と、この本体２０の受け部２１に対し、その前方側に回動可能に支持され、受け部２１とともに物入れ部１１を形成する回動部材３０とを備えているので、この小物入れ１０によれば、ラップケース等の小物を物入れ部１１に対して出し入れする際に、回動部材３０が前方側に回動し、小物を容易に出し入れすることができることとなる。また、回動部材３０が、前板３１とこの前板３１と一体に形成された底板３２とを有し、背板を有していないので、ラップケース等の小物を物入れ部に入れる際に、小物の下端が回動部材の背板上縁部に当接するという事態が生じず、小物を物入れ部により一層入れ易くなるという効果が得られる。
そして、受け部２１の底部が部分的に開口２９しており、その開口縁部によって、第２ガイド部２７ａ、２７ａが形成されているので、従来技術のように特別のガイド（図１４の１ａ，１ｂ等）を形成する必要がなくなるとともに、その分物品保持具の高さを低減させることが可能となる。
別言すれば、上記回動部材３０が底板３２を有しているので、受け部２１の底部を部分的に開口２９させて上記第２ガイド部２７ａ、２７ａを形成することが可能となる。
（ｉｉｉ）ロール保持具６０（物品保持具の一例）は、基部７０と、この基部７０に対して、左右方向にスライド可能に取り付けられた左右一対のスライド板８０と、このスライド板８０にそれぞれ一体に形成された側板８１と、この側板８１にそれぞれ回動可能に取り付けられ、ペーパータオル等のロール体Ｒの左右を回転可能に支持する左右一対の支持アーム９０と、この支持アーム９０で支持されたロール体Ｒの回転を、ロール体Ｒの引き出し方向に基づく支持アーム９０の回動状態に応じて停止させるストッパ８８と、側板８１同士を連結する伸縮可能なロッドであってその最小長さが側板８１同士の最小間隔に略等しい長さとなっている補強ロッド１００とを備えているので、この物品保持具（ロール保持具６０）によれば、支持アーム９０の取付状態が安定し、かつ輸送過程あるいは販売過程等において支持アーム等が破損せず、しかも、ユーザーが使用時に、支持アーム等を取り付ける必要もなくなる。
詳しく説明すると、支持アーム９０を回転可能に支持する側板８１がスライド板８０に対して一体的に形成されているので、支持アーム９０の取付状態も安定し、結果として、ロール体Ｒの支持状態も安定することとなる。
また、支持アーム９０を回転可能に支持する側板８１同士を連結する伸縮可能なロッドであってその最小長さが側板同士の最小間隔に略等しい長さとなっている補強ロッド１００を備えているので、スライド板８０（側板８１）および支持アーム９０を取り付けた状態で輸送あるいは販売する過程において、支持アーム９０あるいは側板８１に対してその外側から何らかの外力Ｆが作用したとしても、その外力Ｆが補強ロッド１００で受けられることとなる。したがって、支持アーム等が破損してしまうということがなくなる。結果として、スライド板８０（側板８１）および支持アーム９０を取り付けた状態で輸送あるいは販売することが可能となるので、ユーザーが、使用時に、支持アーム等をいちいち装着する必要もなくなる。
補強ロッド１００は、側板８１同士を連結しているが伸縮可能となっているので、スライド板８０のスライド動作を阻害しない。
以上のように、この物品保持具によれば、支持アーム９０の取付状態が安定し、かつ輸送過程あるいは販売過程等において支持アーム９０等が破損せず、しかも、ユーザーが使用時に、支持アーム９０等を取り付ける必要もなくなる。
さらに、前述したように、支持アーム９０で支持されたロール体Ｒの回転を、ロール体Ｒの引き出し方向に基づく支持アームの回動状態に応じて停止させるストッパ８８を備えているので、ペーパータオル等を片手で引き出してかつ切断することができる。この引き出しおよび切断動作は、ロールの支持状態が安定していることによって円滑に行うことができる。
【００２７】
以上、本発明の実施の形態について説明したが、本発明は上記の実施の形態に限定されるものではなく、本発明の要旨の範囲内において適宜変形実施可能である。
【００２８】
【図面の簡単な説明】
【図１】本発明に係る物品保持具の一実施の形態を示す図で、（ａ）は平面図、（ｂ）は正面図。
【図２】左側面図。
【図３】背面図。
【図４】小物入れを示す図で、（ａ）は平面図、（ｂ）は正面図。
【図５】（ａ）は右側面図、（ｂ）は図４（ｂ）におけるＶｂ−Ｖｂ断面図。
【図６】小物入れ１０の本体を示す図で、（ａ）は正面図、（ｂ）は図（ａ）におけるｂ−ｂ断面図。
【図７】同上本体の平面図。
【図８】小物入れ１０の回動部材を示す図で、（ａ）は部分切断平面図、（ｂ）は正面図、（ｃ）は右側面図、（ｄ）は図（ｂ）におけるｄ−ｄ断面図。
【図９】（ａ）（ｂ）はそれぞれ小物入れ１０の作用説明図。
【図１０】ロール保持具６０の正面図。
【図１１】基部７０を示す図で、（ａ）は平面図、（ｂ）は正面図、（ｃ）は右側面図、（ｄ）は底面図、（ｅ）は図（ａ）におけるｅ−ｅ断面図。
【図１２】スライド板８０および側板８１と、側板８１に回動可能に取り付けられた支持アーム９０との組み立て体を示す図で、（ａ）は平面図、（ｂ）は正面図、（ｃ）は右側面図。
【図１３】補強ロッド１００の連結棒１２０を示す正面図。
【図１４】（ａ）（ｂ）（ｃ）は従来技術の説明図。
【図１５】（ａ）（ｂ）（ｃ）は従来技術の説明図。
【符号の説明】
１０    小物入れ
Ｕ    上方
Ｆ    前方
１１    物入れ部
２０    本体
２１    受け部
２７ａ  第２ガイド部
２９    開口
３０    回動部材
３１    前板
３２    底板
Ｒ    ロール体
６０    ロール保持具
７０    基部
７５    第１ガイド部
８０    スライド板
８１    側板
８８    ストッパ
９０    支持アーム
１００  補強ロッド
【図１】
0004703011.tif 000002
【図２】
0004703011.tif 000003
【図３】
0004703011.tif 000004
【図４】
0004703011.tif 000005
【図５】
0004703011.tif 000006
【図６】
0004703011.tif 000007
【図７】
0004703011.tif 000008
【図８】
0004703011.tif 000009
【図９】
0004703011.tif 000010
【図１０】
0004703011.tif 000011
【図１１】
0004703011.tif 000012
【図１２】
0004703011.tif 000013
【図１３】
0004703011.tif 000014
【図１４】
0004703011.tif 000015
【図１５】
0004703011.tif 000016